(57)【特許請求の範囲】
【請求項１】
自動販売機のパネルに形成された光透過用の開口を覆うようにしてパネルに着脱自在に取り付けられる板状体と、この板状体の前面側に着脱自在に止着され、表面に商品表示が施された半割り状のダミー体本体とからなる自動販売機用のダミー体において、前記ダミー体本体の両側部に下方に屈曲された鉤状の側部突片を側方に張出して設けるとともに、ダミー体本体の下部に下方に垂下した下部突片を設ける一方、前記板状体の前面の左右両側部および下側部に、前記ダミー体本体の左右両側部および下部を当接させるための縁部を突設し、前記板状体の前記縁部を含む左右両側部に、前記側部突片を挿抜自在に収容しこれと係合する係止部を形成するとともに、前記下側部に前記下部突片が挿抜自在に挿入される挿入部を形成し、かつ、前記側部突片を板状体の前面側から背面側に挿入するために、前記係止部は板状体の左右両側部に前面側から背面側に斜め下方に傾斜するガイド部を備えていることを特徴とする自動販売機用のダミー体。
【請求項２】
係止部に、側部突片を挿入するため、板状体の左右両側部に上方に開いた開口が形成されている請求項１に記載の自動販売機用のダミー体。
【請求項３】
係止部は、上方に比べて下方が狭くなるように形成され、途中に係止段部が備わっている請求項１又は２に記載の自動販売機用のダミー体。
【発明の詳細な説明】
【０００１】
【発明の属する技術分野】
この発明は、ジュースやコーヒー、ビールなどの缶入りや壜入りの飲料や、煙草、乾電池などを無人販売するための自動販売機用のダミー体に関し、さらに詳しくは、裏面からの透過光によってダミー体をより鮮明に表示するために、ダミー体取付位置に複数の光透過用の開口が形成されたパネルに着脱自在に取り付けられる自動販売機用のダミー体に関する。
【０００２】
【従来の技術】
例えば、各種飲料の自動販売機においては、その前面部に、販売対象とする実物の商品の代わりに展示されるダミー体として、従来では、実商品の形状に酷似させた実物大の缶や壜の形に形成されたものが使用されている。
【０００３】
前記自動販売機の上部には展示室が設けられ、展示室の後方には照明光源が設けられ、展示室の内部のパネルには、照明光源の光透過用の開口が複数個形成されている。一方、ダミー体は、前記開口を覆うようにしてパネルに着脱自在に取り付けられる板状体と、この板状体の前面側に着脱自在に止着され、表面に商品表示が施された半割り状のダミー体本体とからなる。このダミー体本体には、その両側部および底部に係止片が突設してあり、これらの係止片を、板状体に設けられたスリット孔に挿入して係止することにより、板体にダミー体本体を取り付けて、ダミー体として組み立てている。
【０００４】
【発明が解決しようとする課題】
しかしながら、上記従来のダミー体においては、ダミー体本体の板状体への取り付けに際し、ダミー体本体に形成された複数の係止片を板状体に形成された複数のスリット孔に同時に挿入しなければならず、このように、複数の係止片を複数のスリット孔に同時に挿入することは非常に困難であり、自動販売機の設置されている箇所で、多数のダミー体を組み立てるような場合、多大の時間を要するという問題があった。
【０００５】
ところで、前記自動販売機は、街路や公園、またはビルや家屋の軒下など屋外に設置されることが多く、それだけ寒暖の差が激しい厳しい環境下に置かれることが多い。このため、ダミー体本体や板状体は、ポリプロピレンなど耐熱性、耐候性、耐老化性に優れた樹脂材料よりなるものではあるが、前記の厳しい環境下に長期間設置した場合、ダミー体本体や板状体に伸縮が生ずることがある。そして、特に、ダミー体本体は柔らかい樹脂で形成されることが多いため前記伸縮が生じやすく、その結果、ダミー体本体側の複数の係止片を板状体側の複数のスリット孔に挿入して係止しただけの取付け構造を有する従来のダミー体においては、ダミー体本体が板状体から外れてしまい、本来のダミー体の形態を維持できなくなることがあった。
【０００６】
この発明は、上述の事柄に留意してなされたもので、その目的は、板状体に対するダミー体本体の取付け構造を改良して、その着脱を容易にし、作業性を向上させるとともに、長期にわたって所定の形態を維持することができる自動販売機用のダミー体を提供することにある。
【０００７】
【課題を解決するための手段】
上記目的を達成するため、この発明では、自動販売機のパネルに形成された光透過用の開口を覆うようにしてパネルに着脱自在に取り付けられる板状体と、この板状体の前面側に着脱自在に止着され、表面に商品表示が施された半割り状のダミー体本体とからなる自動販売機用のダミー体において、前記ダミー体本体の両側部に下方に屈曲された鉤状の側部突片を側方に張出して設けるとともに、ダミー体本体の下部に下方に垂下した下部突片を設ける一方、前記板状体の前面の左右両側部および下側部に、前記ダミー体本体の左右両側部および下部を当接させるための縁部を突設し、前記板状体の前記縁部を含む左右両側部に、前記側部突片を挿抜自在に収容しこれと係合する係止部を形成するとともに、前記下側部に前記下部突片が挿抜自在に挿入される挿入部を形成し、かつ、前記側部突片を板状体の前面側から背面側に挿入するために、前記係止部は板状体の左右両側部に前面側から背面側に斜め下方に傾斜するガイド部を備えている（請求項１）。
【０００８】
そして、係止部に、側部突片を挿入するため、板状体の左右両側部に上方に開いた開口が形成されていてもよく（請求項２）、また、係止部は、上方に比べて下方が狭くなるように形成され、途中に係止段部が備わっていてもよい（請求項３）。
【０００９】
この発明の自動販売機用のダミー体においては、ダミー体本体を、その側面部が板状体の前面側の縁部の内側に当接した状態で下方にスライドし、板状体の下側部に形成された挿入部に、ダミー体本体の下部に形成された下部突片を挿入する。このとき、側方に張出した側部突片の先端部が板状体の左右両側部に形成された係止部のガイド部によってガイドされ、側部突片が板状体の前面側から背面側にまわり込み係合し固定される。すなわち、ダミー体本体を板状体に当ててこれに沿うようにしてスライドするだけで、ダミー体本体を板状体に簡単にしかも確実に固定することができる。
【００１０】
そして、ダミー体本体側の側部突片は、板状体側の係止部に単に挿入されるだけではなく、係止部に形成された係止段部に当接して係合し、同時にダミー体本体の側部突片の上端部が板状体の開口部の上方側の端部に当接することになるので、寒暖の差や、扉の開閉時に機内で空気圧の変動が起こることなどにより、ダミー体本体に変形が生ずることがあっても、側部突片と係止部との係合が簡単に解除されることがない。したがって、ダミー体本体は、板状体に対して常に所定の状態で保持されることとなり、ダミー体は長期にわたって所定の形態を良好に維持することができる。
【００１１】
【発明の実施の形態】
この発明の実施の形態を、図面を参照しながら説明する。
図１〜図１１は、この発明の一つの実施の形態を示し、まず、図１において、１は自動販売機であり、その前面には商品補充のための扉２が開閉自在に設けられている。この扉２の上部には、複数のダミー体３（その構成は後述する）を展示するための展示部４が例えば上下二段に形成されている。各展示部４の下部には、各ダミー体３に関連付けて商品選択用押しボタン５が配置されている。そして、扉２の中程には、紙幣投入口６、硬貨投入口７、釣り銭口８、釣り銭返却用操作レバー９が設けられ、さらに、下方には商品取り出し口１０が設けられている。
【００１２】
前記展示室４の内部には、ダミー体３の取付け面となるパネル１１が設けられている。このパネル１１には、図１における拡大図示部および図２に示すように、ダミー体３の取付け位置に各種商品の最大のものに合わせて光透過用の開口１２が複数形成されている。すなわち、この開口１２は、展示されるダミー体３の最大形状に対応した大きさ、形状に合わせて形成されており、この実施の形態においては、全ての開口１２は、同じ形状、大きさに統一されている。なお、図１における拡大図示部において、１３はパネル１１の背面側に配設される照明光源で、ダミー体３をその後方から照射するものである。
【００１３】
次に、前記ダミー体３の構成について、図２〜図１１を参照しながら説明すると、このダミー体３は、図２〜図５に示すように、前記開口１２を覆うようにしてパネル１１の前面に着脱自在に取り付けられる板状体１４と、この板状体１４の前面側に着脱自在に止着されるダミー体本体１５とからなり、それぞれ次のように構成されている。
【００１４】
まず、ダミー体本体１５を説明すると、このダミー体本体１５は、その本体部１５Ａが、容器の形状に対応した形状を呈し、その表面には商品表示が施された半割り状である。そして、ダミー体本体１５の左右の側部１５ａには、それぞれ外方、つまり図１〜５，１１更には後述図１３示されるように側方に張出し下方に屈曲した鉤状の側部突片１６が半割り面上に突出した状態で設けられている。この側部突片１６は、前記側部１５ａに連なる部分１６ａと、これの下方に細長い状態で連なる先端部１６ｂと係合当接部１６ｃとからなる（図１０参照）。また、ダミー体本体１５の下部１５ｂには、これと直角になるように下方に垂下した下部突片１７が設けられている（図４参照）。
【００１５】
上記形状を有するダミー体本体１５は、ポリプロピレンやポリカーボネート、ポリエチレンテレフタレートなどの樹脂、あるいはこれらの樹脂の再生品などの耐熱性、耐候性、耐老化性に優れた素材を用いて、真空成形または圧空成形によって、図２において符号１５’で示すような半割り体を形成し、その後、例えばトムソン法による押切りによって、側部突片１６および下部突片１７を形成することにより製作される。
【００１６】
そして、板状体１４は、図６〜図８に示すように、平面視長方形で、その前面板部１４Ｆには、図６に示すように、その左右両側部の上部を除く部分および下側部にわたって、適宜高さおよび幅を有する縁部１８ａ，１８ｂがほぼＵ字状に突設されている。そして、下側部の縁部１８ｂと前面板部１４Ｆとの間には、図３および図４に示すように、前記ダミー体本体１５の下部突片１７が挿抜自在に挿入される挿入部１９が形成されている。
【００１７】
また、板状体１４の背面部１４Ｂには、図２および図７に示すように、その左右両側部および下側部にわたって、前記縁部１８ａ，１８ｂより高さおよび幅が小さい縁部２０ａ，２０ｂが突設されるとともに、上側部には、縁部２０ａ，２０ｂと同じ高さでやや幅広の縁部２０ｃが形成されている。
【００１８】
そして、前記板状体１４には、その左右両側部に、図９〜図１１に拡大して示すように、ダミー体本体１５の側部突片１６を挿抜自在に収容しこれと係合する係止部２１が形成されている。すなわち、この係止部２１は、板状体１４の側部の一部を縦長形状に切除してなるもので、上方に比べて下方が狭くなるように形成され、途中に係止段部２２を備えるとともに、前面側から背面側に斜め下方に傾斜するガイド部２３が形成された開口２４を備えている。すなわち、この係止部２１は、開口２４に近い部分（上側）には縁部１８ａとの間が比較的広い空間２５が形成され、前記係止段部２２から下方は、比較的狭い空間２６に形成されている。
【００１９】
さらに、前記板状体１４の背面部１４Ｂには、図８に示すように、その上端部および下端部にそれぞれ上向きおよび下向きに開いた凹状係止片２７ａ，２７ｂが形成されている。この凹状係止片２７ａ，２７ｂは，板状体１４を、パネル１１の開口１２を覆うように取り付ける際、図２および図４に示すように、両係止片２７ａ，２７ｂが開口１２の上縁１２ａおよび下縁１２ｂに係脱自在に係止するものである。
【００２０】
上記形状を有する板状体１４は、ポリプロピレンやポリカーボネート、ポリエチレンテレフタレートなどの樹脂、あるいはこれらの樹脂の再生品などの耐熱性、耐候性、耐老化性に優れた素材を用いて、主としてインジェクション成形によって製作される。
【００２１】
次に、ダミー体３の自動販売機１の展示部４への設置の手順について説明すると、図２に示すように、所定の形状に形成されたダミー体本体１５を、板状体１４の前面側の上方に位置させ、同図において矢印３１で示すように、板状体１４の上方からダミー体本体１５を、その左右の側部１５ａが板状体１４の前面側の縁部１８ａに沿わせた状態で、ダミー体本体１５を下方にスライドさせる。このスライドにより、ダミー体本体１５の下部１５ｂに形成された下部突片１７が、板状体１４の下側部に形成された挿入部１９内に挿入される。
【００２２】
前記挿入と同時に、ダミー体本体１５の左右両側部１５ａに形成された側部突片１６の先端部１６ｂが板状体１４の左右両側部に形成された係止部２１の開口２４を通過し、前面側から背面側に傾斜するようにして形成されているガイド部２３によってガイドされて、前記先端部１６ｂが板状体１４の前面側から背面側にまわり込む。そして、この先端部１６ｂは、縁部１８ａとの間が比較的広い空間２５を経て、比較的狭い空間２６に至るが、先端部１６ｂは、図１０において二重矢印３２に示すように、係止部２１を下方に進むにしたがって、板状体１４の裏面側の縁部２０ａに当接して、その幅が狭くなるとともに、係合当接部１６ｃが係止段部２２に当接するとともに、側部突片１６の上端部１６ａ’が開口２４の上方側の端部２４ａに当接する。
【００２３】
このように、ダミー体本体１５は、側部突片１６が板状体１４に形成された係止部２１に係合するとともに、下部突片１７が板状体１４に形成された挿入部１９に挿入することにより、板状体１４と一体的に組み立てられ、図３〜図５に示すように、所定形状のダミー体３が完成する。このようにして組み立てられたダミー体３を、自動販売機１の展示部４に設置するには、ダミー体３の板状体１４の上部側の凹状係止片２７ａをパネル１１の開口１２の上縁１２ａに係合させ、その後、板状体１４を上方に持ち上げて板状体１４の下部側の凹状係止片２７ｂを開口１２の下縁１２ｂに係合させる。これにより、板状体１４が開口１２を覆うようにして、ダミー体３がパネル１１の所定の位置に取り付けられる。
【００２４】
なお、上述の取付け方法においては、ダミー体本体１５と板状体１４とを組み合わせて先にダミー体３を完成させ、この完成したダミー体３をパネル１１に取り付けていたが、パネル１１に板状体１４を先に取付け、この板状体１４にダミー体本体１５を取り付けるようにしてもよい。
【００２５】
また、ダミー体３またはダミー体本体１５を交換する場合、板状体１４をパネル１１から外し、ダミー体３全体を交換してもよく、また、ダミー体本体１５を板状体１４から外すようにしてもよい。
【００２６】
上述の実施の形態においては、板状体１４に形成される係止部２１に、側部突片１６の先端部１６ｂを、板状体１４の前面側から背面側にガイドするガイド部２３を形成してあったが、これに代えて、図１２，１３に示すように、板状体１４の前面側の縁部２０ｃに、前記先端部１６ｂを挿入するための開口３３を形成し、この開口３３の近傍にガイド斜面３４を設け、その下方に先端部１６ｂを収容するための空間３５を設けてもよい。この場合、空間３５の形状は、前記空間２５，２６と同様に形成されたものが好ましい。
【００２７】
この発明は、種々に変形して実施することができ、例えば、商品表示をダミー体本体１５の表面に印刷するのに代えて、印刷された商品表示ラベルをダミー体本体１５の表面に貼付するようにしてもよい。
【００２８】
【発明の効果】
以上説明したように、この発明の自動販売機用のダミー体においては、側方に張出した側部突片の先端部が板状体の左右両側部に形成された係止部のガイド部によってガイドされ、側部突片が板状体の前面側から背面側にまわり込み係合し固定され、ダミー体本体を板状体に当ててこれに沿うようにしてスライドするだけで、ダミー体本体を板状体に簡単にしかも確実に固定することができる。しかもダミー体の側部突片の上端部が開口の上方側の端部に当接するので、ダミー体の側部突片と板状体の係止部との係合が簡単に解除されることがない。
【００２９】
そして、ダミー体本体側の側部突片は、板状体側の係止部に単に挿入されるだけではなく、係止部に形成された係止段部に当接して係合し、同時にダミー体本体の側部突片の上端部が板状体の開口部の上方側の端部に当接することになるので、寒暖の差や、扉の開閉時に機内で空気圧の変動が起こることなどにより、ダミー体本体に変形が生ずることがあっても、側部突片と係止部との係合が簡単に解除されることがない。したがって、ダミー体本体は、板状体に対して常に所定の状態で保持されることとなり、ダミー体は長期にわたって所定の形態を良好に維持することができる。
【図面の簡単な説明】
【図１】この発明のダミー体が設置される自動販売機を部分拡大図と共に示す斜視図である。
【図２】この発明のダミー体の構成を示す分解斜視図である。
【図３】前記ダミー体の縦断正面図である。
【図４】前記ダミー体をパネルに取り付けた状態を示す縦断側面図である。
【図５】前記ダミー体をパネルに取り付けた状態を示す横断面図である。
【図６】ダミー体における板状体の一例を示す正面図である。
【図７】前記板状体の背面図である。
【図８】前記板状体の側面図である。
【図９】板状体に形成される係止部の構成の一例を示す部分断面斜視図である。
【図１０】前記係止部における側部突片の係合動作を説明するための図である。
【図１１】前記係止部における側部突片の係合状態を示す部分拡大断面斜視図である。
【図１２】板状体に形成される係止部の構成の他の例を示す部分断面斜視図である。
【図１３】前記係止部における側部突片の係合状態を示す部分拡大断面斜視図である。
【符号の説明】
自動販売機、３…ダミー体、１１…パネル、１２…開口、１４…板状体、１５…ダミー体本体、１５ａ…側部、１５ｂ…下部、１６…側部突片、１６ａ´…側部突片の上端部、１７…下部突片、１８ａ，１８ｂ…縁部、１９…挿入部、２１…係止部、２２…係止段部、２３…ガイド部、２４…開口、２４ａ…開口の上方側の端部。
【図１】
0003564046.tif 000002
【図２】
0003564046.tif 000003
【図３】
0003564046.tif 000004
【図４】
0003564046.tif 000005
【図５】
0003564046.tif 000006
【図６】
0003564046.tif 000007
【図７】
0003564046.tif 000008
【図８】
0003564046.tif 000009
【図９】
0003564046.tif 000010
【図１０】
0003564046.tif 000011
【図１１】
0003564046.tif 000012
【図１２】
0003564046.tif 000013
【図１３】
0003564046.tif 000014